(57)【要約】【課題】  通信ネットワーク上に配置したネットワークカメラ用プロトコル仕様の録画装置を使用して、カメラを持たないインターホン子機の音声を保存可能としたインターホンシステムを提供する。【解決手段】  監視カメラ３が録画装置５に対して送信する映像信号はネットワークカメラ用プロトコルにより実施される一方、第１インターホン子機１の第１子機ＣＰＵ１４はダミー画像を記憶する画像記憶部１６を有して、マイク１２の収音音声をダミー画像と共に録画装置５に対してネットワークカメラ用プロトコル仕様で送信し、録画装置５は監視カメラ３から送信された映像及び第１インターホン子機１から送信されたダミー画像と音声とを保存する。【選択図】  図１
2015088780.tif 000002
【特許請求の範囲】
【請求項１】
マイク及びスピーカを有して居住者を呼び出して通話する機能を備えたインターホン子機と、監視カメラと、前記インターホン子機からの呼び出しに応答する機能に加えて前記監視カメラの撮像映像を表示する表示部を備えたインターホン親機と、前記監視カメラの撮像映像を録画する録画装置とを有し、互いに通信ネットワークを介して接続されたインターホンシステムであって、
前記監視カメラが前記録画装置に対して送信する映像信号は、ネットワークカメラ用プロトコルにより実施される一方、
前記インターホン子機は、ダミー画像を記憶する画像記憶部と、前記マイクの収音音声を前記ダミー画像と共に前記録画装置に対して前記ネットワークカメラ用プロトコル仕様で送信する映像伝送制御部とを有し、
前記録画装置は、前記監視カメラから送信された映像に加えて前記インターホン子機から送信された画像及び音声を保存することを特徴とするインターホンシステム。
【請求項２】
前記画像記憶部が記憶する前記ダミー画像は、送信元を識別するための情報を具備した画像であることを特徴とする請求項１記載のインターホンシステム。
【請求項３】
前記インターホン親機は、前記インターホン子機から呼び出しを受けたら、前記監視カメラの撮像映像を前記表示部に表示させる表示制御部を有することを特徴とする請求項１又は２記載のインターホンシステム。
【請求項４】
マイク及びスピーカを備えて居住者を呼び出して通話する機能に加えて訪問者を撮像するためのカメラを備えたカメラ付インターホン子機が前記通信ネットワークを介して接続され、
前記カメラ付インターホン子機は、前記カメラの撮像映像と前記マイクの収音音声とを前記ネットワークカメラ用プロトコルを使用して前記録画装置に送信する映像伝送制御部を有することを特徴とする請求項１乃至３の何れかに記載のインターホンシステム。
【請求項５】
前記インターホン子機の映像伝送制御部が送信する前記ダミー画像のフレームレートは、前記カメラ付インターホン子機の映像のフレームレートの１０分の１以下であることを特徴とする請求項１乃至３の何れかに記載のインターホンシステム。
【請求項６】
前記画像記憶部が記憶する前記ダミー画像は、前記通信ネットワーク上に別途設けられた画像保存手段から入手したエンコード済の画像であることを特徴とする請求項１乃至５の何れかに記載のインターホンシステム。
【発明の詳細な説明】
【技術分野】
【０００１】
本発明は、インターホン子機とインターホン親機とが通信ネットワークを介して接続されたインターホンシステムに関する。
【背景技術】
【０００２】
通信ネットワークを利用して機器間が接続されたインターホンシステムでは、別途通信ネットワーク上にサーバ等の録画機能を備えた機器を設置して、インターホン機器に搭載されたカメラやネットワークカメラの撮像映像を録画可能としたものがあある（例えば、特許文献１参照）。
一方で、ネットワークカメラの撮像映像を保存するための機器としてネットワークビデオレコーダ（ＮＶＲ）がある。ＮＶＲはネットワークカメラ用プロトコルで動作するため、ＩＰネットワークを介してネットワークカメラの映像をプロトコル変換すること無く録画（及び録画に伴う音声等の録音も合わせて実施）できるため、配線が簡単であるし、通信ネットワークを介して転送しても映像の劣化が発生しないため普及が進んでいる。
【先行技術文献】
【特許文献】
【０００３】
【特許文献１】特開２０１２−１５６２６号公報
【発明の概要】
【発明が解決しようとする課題】
【０００４】
上記ＮＶＲは、ネットワークカメラの映像を保存するためのものであるため、通信ネットワークに接続されたインターホン子機のカメラ撮像映像もネットワークカメラの映像と同様に保存することができたし、その際に収音した訪問者の音声等も併せて保存することができた。
しかしながら、映像の無い音声信号のみの場合は、例えプロトコルが一致したとしても不正な信号とみなされてしまい、ＮＶＲで保存することができない。そのため、カメラを持たないインターホン子機が通信ネットワークに接続されていても、その収音した音声をＮＶＲで保存することはできなかった。
【０００５】
そこで、本発明はこのような問題点に鑑み、通信ネットワーク上に配置したＮＶＲ等のネットワークカメラ用プロトコル仕様の録画装置を使用して、カメラを持たないインターホン子機の音声を保存可能としたインターホンシステムを提供することを目的としている。
【課題を解決するための手段】
【０００６】
上記課題を解決する為に、請求項１の発明は、マイク及びスピーカを有して居住者を呼び出して通話する機能を備えたインターホン子機と、監視カメラと、インターホン子機からの呼び出しに応答する機能に加えて監視カメラの撮像映像を表示する表示部を備えたインターホン親機と、監視カメラの撮像映像を録画する録画装置とを有し、互いに通信ネットワークを介して接続されたインターホンシステムであって、監視カメラが録画装置に対して送信する映像信号は、ネットワークカメラ用プロトコルにより実施される一方、インターホン子機は、ダミー画像を記憶する画像記憶部と、マイクの収音音声をダミー画像と共に録画装置に対してネットワークカメラ用プロトコル仕様で送信する映像伝送制御部とを有し、録画装置は、監視カメラから送信された映像に加えてインターホン子機から送信された画像及び音声を保存することを特徴とする。
この構成によれば、カメラを持たないインターホン子機であっても、ダミー映像と共に送信することでネットワークカメラ用プロトコル仕様の録画装置に保存させることができる。よって、別途録音装置を設置する必要がない。
【０００７】
請求項２の発明は、請求項１に記載の構成において、画像記憶部が記憶するダミー画像は、送信元を識別するための情報を具備した画像であることを特徴とする。
この構成によれば、ダミー画像は端末情報を具備しているため、音声を再生する際に画像から送信元を把握でき、表示画像も活用できる。
【０００８】
請求項３の発明は、請求項１又は２に記載の構成において、インターホン親機は、インターホン子機から呼び出しを受けたら、監視カメラの撮像映像を表示部に表示させる表示制御部を有することを特徴とする。
この構成によれば、インターホン子機にカメラが無くても監視カメラの映像が表示されるため、監視カメラを来訪者を撮像可能に設置すればセキュリティの向上に有効である。
【０００９】
請求項４の発明は、請求項１乃至３の何れかに記載の構成において、マイク及びスピーカを備えて居住者を呼び出して通話する機能に加えて訪問者を撮像するためのカメラを備えたカメラ付インターホン子機が通信ネットワークを介して接続され、カメラ付インターホン子機は、カメラの撮像映像とマイクの収音音声とをネットワークカメラ用プロトコルを使用して録画装置に送信する映像伝送制御部を有することを特徴とする。
この構成によれば、カメラ付インターホン子機から呼び出しが発生したら、ネットワークカメラの如く録画装置でカメラ付インターホン子機のカメラ撮像映像及び収音した音声が保存される。よって、インターホン親機に録画用に大容量のメモリを設けなくても、来訪者映像に関しても長時間の録画が可能であり、セキュリティの向上に有効である。
【００１０】
請求項５の発明は、請求項１乃至３の何れかに記載の構成において、インターホン子機の映像伝送制御部が送信するダミー画像のフレームレートは、カメラ付インターホン子機の映像のフレームレートの１０分の１以下であることを特徴とする。
この構成によれば、ダミー画像は動画ではないため、伝送するフレームレートは例えば１秒間に１フレームと低くても良く、録画装置が映像信号であると認識できるレートで伝送すれば良い。そのため、監視カメラの撮像映像のフレームレートを落とさないよう伝送できる。
【００１１】
請求項６の発明は、請求項１乃至５の何れかに記載の構成において、画像記憶部が記憶するダミー画像は、通信ネットワーク上に別途設けられた画像保存手段から入手したエンコード済の画像であることを特徴とする。
この構成によれば、インターホン子機の収音音声保存時に併せて保存される画像を、通信ネットワークを介して外部から入手できるため、使用者は好みに合わせて選択することが可能となる。また、入手する画像はエンコード済みの画像であるため、録画装置に送信する際に録画が可能な動画フォーマットに変換する必要がない。
【発明の効果】
【００１２】
本発明によれば、カメラを持たないインターホン子機であっても、ダミー映像と共に送信することでネットワークカメラ用プロトコル仕様の録画装置に対して、音声信号を保存させることができる。よって、別途録音装置を設置する必要がない。
【図面の簡単な説明】
【００１３】
【図１】本発明に係るインターホンシステムの一例を示す構成図である。
【図２】インターホン子機が記憶するダミー画像の説明図である。
【発明を実施するための形態】
【００１４】
以下、本発明を具体化した実施の形態を、図面を参照して詳細に説明する。図１は本発明に係るインターホンシステムの一例を示し、１は居住者を呼び出すための第１のインターホン子機（以下、単に「第１子機」と称する。）、２は居住者を呼び出す機能に加えて来訪者を撮像するためのカメラを備えた第２のインターホン子機（以下、単に「第２子機」と称する。）、３は不審者を監視するための監視カメラ、４は第１子機１，第２子機２からの呼び出しに応答する機能に加えて映像や各種情報を表示するディスプレイを備えたインターホン親機（以下、単に「親機」と称する。）、５は映像を録画するための録画装置である。各機器はインターネット等の通信ネットワークＮを介して接続されている。
【００１５】
第１子機１は、居住者を呼び出すための呼出ボタン１１、通話するためのマイク１２及びスピーカ１３、第１子機１を制御する第１子機ＣＰＵ１４、通信ネットワークＮを介して親機４や録画装置５と通信するための第１子機通信ＩＦ１５等を備えている。また第１子機ＣＰＵ１４は後述するダミー画像を記憶する画像記憶部１６を有し、呼出ボタン１１が押下されると、マイク１２が集音した音声と共に記憶しているダミー画像をネットワークカメラ用プロトコルに基づいて映像情報として録画装置５に送信する制御を実施する。
【００１６】
第２子機２は、居住者を呼び出すための呼出ボタン２１、通話するためのマイク２２及びスピーカ２３、来訪者を撮像するための子機カメラ２４、第２子機２を制御する第２子機ＣＰＵ２５、通信ネットワークＮを介して親機４や録画装置５と通信するための第２子機通信ＩＦ２６等を備えている。
また第２子機ＣＰＵ２５は、呼出ボタン２１が押下されると子機カメラ２４の撮像映像とマイク２２が集音した音声を、ネットワークカメラ用プロトコルに基づいて録画装置５に送信する制御を行う。
【００１７】
親機４は、呼び出しに応答するための通話ボタン４１、通話するためのマイク４２及びスピーカ４３、映像や各種情報を表示するディスプレイ４４、ディスプレイ４４に組み付けられて各種操作を可能とするタッチパネル４５、親機４を制御する親機ＣＰＵ４６、通信ネットワークＮを介して第１子機１、第２子機２、監視カメラ３、そして録画装置５と通信するための親機通信ＩＦ４７等を備えている。
【００１８】
録画装置５は、送信された映像の録画に加えて同時に受信した音声を録音する録画装置記憶部５１、ネットワークカメラ用プロトコルに基づいて録画／再生制御を行う録画装置ＣＰＵ５２、通信ネットワークＮを介して第１子機１、第２子機２、監視カメラ３、そして親機４と通信を行う録画装置通信ＩＦ５３等を備えている。この録画装置５としては、例えばＮＶＲが適用できる。
【００１９】
上記の如く構成されたインターホンシステムの動作は以下の様である。最初に、第１子機１が呼出操作された場合を説明する。但し、監視カメラ３は常時起動し、ネットワークカメラ用プロトコルに基づいて録画装置５とリンクを確立し、例えばマルチキャストのＲＴＳＰで映像が録画装置５に送信される。録画装置５に送信された映像は、録画装置ＣＰＵ５２の制御により録画装置記憶部５１に記憶される。
【００２０】
この状態で、第１子機１の呼出ボタン１１が押下されると、第１子機ＣＰＵ１４の制御により通信ネットワークＮを介して親機４に呼出信号が送信される。同時に、画像記憶部１６に予め記憶されているダミー画像を読み出して、マイク１２が収音した音声信号と共に親機４と録画装置５に映像データとして送信される。
図２は第１子機ＣＰＵ１４が記憶しているダミー画像を示し、第１子機１が収音した音声を録画／再生していることを示す絵に加え、第１子機１の端末情報を左上に表示した図が記憶されている。第１子機ＣＰＵ１４が、この画像を例えば１ｆｐｓの伝送速度で送信する。ダミー画像は動画ではないため、録画装置５が映像信号であると認識できるレートで伝送すれば良く、このように１ｆｐｓと低くしても良い。その結果、通信ネットワークＮに負荷をかけずに、即ち監視カメラ３の撮像映像のフレームレートを落とさないよう伝送できる。
【００２１】
呼出信号を受信した親機４では、親機ＣＰＵ４６の制御により呼出音を鳴動させると共に、受信したダミー映像をディスプレイ４４に表示する。この結果、図２に示す端末番号等の子機情報を表示した画像（映像）がディスプレイ４４に表示される。
【００２２】
一方、ダミー映像を受信した録画装置５では、録画装置ＣＰＵ５２の制御で録画装置記憶部５１に受信したダミー映像の録画と共に、受信した音声の録音が開始される。尚、監視カメラ３も撮像映像の録画を継続する。
【００２３】
こうして呼出音が鳴動する親機４で応答操作されると、第１子機１との間で通話路が形成され、来訪者と居住者との間で通話が可能となる。その後、終話操作されると、第１子機１に終話信号が送信されて通話路が切断される。第１子機ＣＰＵ１４は、終話信号を受けてダミー映像の送信を終了し、録画装置５のダミー映像の録画は終了する。
【００２４】
このように、カメラを持たない第１子機１の音声信号は、ダミー映像と共に送信することでネットワークカメラ用プロトコル仕様の録画装置５に保存させることができる。よって、別途録音装置を設置する必要がない。
また、ダミー画像には端末情報が具備されているため、録画装置５に保存された音声を再生する際に画像から送信元を把握でき、表示画像も活用できる。
【００２５】
尚、ダミー画像の伝送速度は、録画装置５が映像信号であると認識すれば良く、監視カメラ３の映像伝送速度の１０分の１以下で良い。即ち、監視カメラ３の映像伝送速度が３０ｆｐｓであれば３ｆｐｓ以下で良く、この伝送速度でも元々静止画である映像を良好に識できる。但し、録画装置５に映像信号と認識させる必要があるため、例えば０．５ｆｐｓ以上の伝送速度を備えることが望ましい。
また、第１子機１が保存するダミー画像を、予め記憶した固定画像とせず、通信ネットワークＮを介して外部に設置された画像保存手段（図示せず）から入手できるよう設定すれば、使用者は好みや設置環境に合わせて画像を選択することが可能となるため好ましい。更に、入手する画像を録画に適したエンコード済みの画像とすると良く、録画装置５に送信する際に録画が可能な動画フォーマットに変換する処理が必要無くなる。
【００２６】
ここで、監視カメラ３の撮像エリアに第１子機１を操作する来訪者が含まれるよう監視カメラ３が設置されている場合は次のように動作させることができる。
第１子機１から呼出信号を受信した親機４では、上述したように受信したダミー映像も受信するが、呼出信号を受けた親機ＣＰＵ４６は監視カメラ３に対して撮像映像の送信を指示する送信指示信号を送信する。
この指示を受けた監視カメラ３は、録画装置５に送信している撮像映像を親機４にも送信する。こうして映像を受信した親機４はディスプレイ４４にその映像を表示する。
その後、応答操作すれば、第１子機１との間で通話路が形成され、来訪者と居住者との間で通話が可能となる動作は上記動作と同様である。
【００２７】
尚、この実施形態では監視カメラ３は常時撮像を行っているため、親機４は撮像映像の送信を指示する送信指示信号を送信するが、この信号は撮像開始信号でもあり、監視カメラ３が撮像動作していなければ、送信信号を受けて撮像を開始して撮像映像が親機４に送信される。また、この場合親機４において第１子機１のダミー映像は表示されないが、録画装置５において、ダミー映像の録画と音声の録音は行われる。
また、親機４に表示させる映像を監視カメラ３の映像へ切り替える操作は、タッチパネル４５に切替ボタンを配置し、タッチパネル４５の操作により手動切替により行なっても良い。
【００２８】
このように、カメラを持たない第１子機１が操作されたら来訪者映像を撮像可能な監視カメラ３の映像が表示されるため、セキュリティの向上に有効である。
【００２９】
次に、第２子機２が操作された場合を説明する。第２子機２から呼び出しが発生すると、第２子機ＣＰＵ２５の制御により親機ＣＰＵ４６に呼出信号が送信されるとともに、子機カメラ２４の撮像映像が親機４に送信される。また、同時に録画装置５にも子機カメラ２４の撮像映像が送信される。
呼出信号及び映像を受信した親機４では、親機ＣＰＵ４６の制御により呼出音が鳴動すると共に、受信した映像がディスプレイ４４に表示される。また、録画装置５は監視カメラ３の録画に加えて、子機カメラ２４の映像の録画を行う。更に映像に合わせて送信された子機マイク２２の収音音声の録音も開始する。
尚、この場合、子機カメラ２４の映像伝送速度は監視カメラ３の伝送速度、例えば３０ｆｐｓで伝送すれば監視カメラ３と同等の映像が確保されるが、２分の１の１５ｆｐｓ程度で伝送することも好適である。伝送速度を上げれば、スムーズな動作映像を表示できるが、伝送路に負荷が掛かるため２分の１程度が好ましい。
【００３０】
このように、カメラ付の第２子機２から呼び出しが発生したら、録画装置５で映像及び音声が保存される。よって、親機４に録画用に容量の大きなメモリを設けなくても、長時間の録画が可能であり、セキュリティの向上に有効である。
【００３１】
尚、ネットワークカメラ用プロトコルは、例えばＯＮＶＩＦに準拠したプロトコルが適用できる。
【符号の説明】
【００３２】
１・・第１のインターホン子機（インターホン子機）、２・・第２のインターホン子機（カメラ付インターホン子機）、４・・インターホン親機、５・・録画装置、１４・・第１子機ＣＰＵ（映像伝送制御部）、１６・・画像記憶部、２４・・子機カメラ、２５・・第２子機ＣＰＵ（映像伝送制御部）、４４・・ディスプレイ（表示部）、４６・・親機ＣＰＵ（表示制御部）、５１・・録画装置記憶部、５２・・録画装置ＣＰＵ、Ｎ・・通信ネットワーク。
【図１】
2015088780.tif 000003
【図２】
2015088780.tif 000004